(57)【要約】【課題】起立補助椅子において、一定の力で着座を押し上げることにより、座るあるいは立つ動作に必要な力を軽減する。【解決手段】本発明の等反発ばね機構は、一次ばね４の片端は上下に可動する上部フレーム２に接続され、他方の片端が固定されている下部フレーム３に接続されている。一方、二次ばね５の片端は固定支柱８に回転できる状態で固定され、二次ばね５の他方の片端は一方向に可動する主可動体６に回転できる状態で接続されている。主リンク９の片端は主可動体６と回転できる状態で接続され、主リンク９の他方の片端は上部フレーム２における一次ばね４との接続点に回転できる状態で接続されている。荷重による上部フレーム２の変位に対し、上部フレームに一定の反発力を与える構成になっている。【選択図】図７
2006055494.tif 000002
【特許請求の範囲】
【請求項１】
一次ばね、二次ばね、上下に平行に位置する上部フレームおよび下部フレーム、主可動体、主リンクから構成され、一次ばねの片端は上下に可動する上部フレームに接続され、他方の片端が固定された下部フレームに接続され、二次ばねの片端は固定支柱に回転できる状態で固定され、前記二次ばねの他方の片端は一方向に可動する主可動体に回転できる状態で接続され、主リンクの片端は前記主可動体と回転できる状態で接続され、前記主リンクの他方の片端は前記上部フレームの前記一次ばねとの接続点に回転できる状態で接続されており、荷重による上部フレームの変位に対し、上部フレームに一定の反発力を与えることを特徴とする等反発ばね機構。
【請求項２】
前記二次ばねの片端は、下部フレームに設置した固定支柱に回転できる状態で固定され、前記二次ばねの他方の片端は一方向に可動する主可動体に回転できる状態で接続され、主リンクの片端は回転できる状態で前記主可動体に接続され、圧縮された前記二次ばねの反発力を主リンクに伝達させ、前記主リンクの他方の片端に一方向の負のばね特性を形成させることを特徴とする請求項１に記載の等反発ばね機構。
【請求項３】
設定反発力、一次ばねの最大高さおよび最小高さ、固定支柱高さ、底辺長さ、回転余裕長さ、荷重作用位置、一次ばねおよび二次ばねのばね定数を最適化することで、荷重点に変位に対しほぼ等しい反発力を発生させることを特徴とする請求項１に記載の等反発ばね機構。
【請求項４】
前記主可動体は前記下部フレームに設置され、一方向に可動する補助可動体は前記上部フレームに設置され、前記主リンクの片端は前記主可動体と回転できる状態で接続され、前記主リンクの他方の片端は前記上部フレームに回転できる状態で接続され、補助リンクの片端は前記補助可動体に回転できる状態で接続され、他方の片端は前記下部フレームに回転できる状態で接続され、前記主リンクと前記補助リンクの交点は両リンクが回転できる状態で固定され、前記上部フレームが前記下部フレームに対し、平行に移動できる構成を備えていることを特徴とする請求項１に記載の等反発ばね機構。
【請求項５】
前記一次ばねおよび二次ばねはつるまきばね、ねじりコイルばね、板ばね、たけのこばね、トーションバー、空気ばね等からなることを特徴とする請求項１から請求項３のいずれかに記載の等反発ばね機構。
【発明の詳細な説明】
【技術分野】
【０００１】
本発明は起立補助用椅子、車椅子、和式椅子、洋式椅子、自動車の椅子、あるいは高齢者を風呂に入れるためなどのリフト、車等の段差がある場所へ荷揚げするリフト、重量物の運搬時に用いるリフトなどに設置し、これらの動作を補助する等反発ばね機構に関するものである。
【背景技術】
【０００２】
ここでは、着座あるいは起立動作を補助する補助椅子を取り上げ説明する。下肢が弱い人が、楽に椅子に座るあるいは椅子から立ち上がることができるように、椅子の着座を昇降させる補助椅子がすでに提案されている。着座を昇降させる手段として、ばね、電動歯車、エアーバックなどを使用する方法がある。
【０００３】
ばねを利用する方法では、椅子の着座を伸縮の巾が広いばねで支え、ばねの反力で立ち上がる動作を補助する方式が知られている。人が椅子に座っている状態では、着座を支えるばねが圧縮されているため大きな反力が働いている。人が立ち上がる過程では、圧縮されたばねが元に戻ることになるため、ばねの反力が人の臀部を支えることになる。
【０００４】
電動歯車方式は電動歯車で椅子の着座を上下する方法であり、着座あるいは起立動作に対して、十分な補助力を得ることができる。また、電動歯車を動かすためには、電力が必要であり、充電器を搭載するか外部電源を利用することになる。
【０００５】
エアーバッグ方式は着座の下にエアーバッグを取り付け、これをエアーポンプで膨らませることで、人が椅子から立つ動作を助ける方法である。エアー量を調整することで、必要に応じた補助力を得ることができる。この装置はエアーバッグの外、エアーポンプおよびエアーポンプを動かすための電力等が必要になる。また、低位置から高位置へ重い荷物を移動するためには、電動歯車や油圧を利用した比較的大掛かりな装置が用いられている。
【特許文献１】特開昭６０−４００４９
【発明の開示】
【発明が解決しようとする課題】
【０００６】
足の筋肉が弱い人にとって、通常の椅子を利用する場合、足を屈伸することになり、筋力を必要とするため辛い思いをしている。時として他の人の力を借りる必要がある。人が立っている状態から椅子に座る動作、あるいは椅子に座っている状態から立つ動作を、楽に行うためには、特に体の臀部を一定の外力で支えることが望ましい。
【０００７】
椅子の着座のばねを補強し、その反力で立ち上がりを補助する方式は、立ち上がる動作の過程で、圧縮されたばねが元に戻り、ばねの反力が急激に減少する。そのため、立ち上がるまでに必要で十分な反力を与えることができない問題がある。
【０００８】
また、柔軟なばねを用いると、椅子に座った時に、ばねと接続した着座が振動し体が上下あるいは左右に揺れる動きが発生する。この振動は、座る人の体を不安定にし、特に足の弱い人にとっては強い不安を感じさせることになる。そこで、人が椅子に座るあるいは立ち上がる動作をする時は、臀部を十分な反力で支え、しかも不安定な振動を起こさない着座の構造を採用する必要がある。
【０００９】
椅子の着座を上下させ立ち上がりを容易にする電動歯車方式は、装置の重量が重く、適用できる椅子が限られる。また、歯車機構、モータ、制御装置等が必要なため高価である。さらに、電動歯車を動かすためには、電力が必要であり、電源の確保等が問題になる。エアーバッグ方式は着座の体制が不安定になりがちで、またエアーポンプを動かすための動力が必要であり、空気の供給、排出に際し音が発生するなどの問題がある。
【００１０】
椅子の補助機構は、人が椅子から立ち上がる時に、臀部を安定した一定の力で持ち上げることが望ましい。又座る時にも、一定の力で着座が沈み込み、不安感を与える振動等を最小にし、楽に着座できることが必要である。また、補助機構を取り付けた椅子は持ち運びが容易で、違和感の無い構成が必要なため、容易に着座の下に取り付けられ、小型で、軽く、安全で、しかも安価でなければならない。また、電気等の他の動力源を用いない機構が望ましい。
【００１１】
さらに、重い荷物を低位置から高位置へ移動するための装置は、電動歯車や油圧が利用されているが、設備が比較的大きく、そのため設備が重くなり、高価でもある。また、外部から電力等の動力源を供給しなければならないなどの問題があり、簡便で、経済的な装置が望まれている。
【課題を解決するための手段】
【００１２】
本発明は、一次ばね、二次ばね、上下に平行に位置する上部フレームおよび下部フレーム、主可動体、主リンクから構成され、一次ばねは片端が上下に可動する上部フレームに接続され、他方の片端が固定された下部フレームに接続され、二次ばねの片端は固定支柱に回転できる状態で固定され、二次ばねの他方の片端は一方向に可動する主可動体に回転できる状態で接続され、主リンクの片端は主可動体と回転できる状態で接続され、主リンクの他方の片端は上部フレームの一次ばねとの接続点に回転できる状態で接続されており、荷重による上部フレームの変位に対し、上部フレームに一定の反発力を与えることを特徴とする等反発ばね機構である。
【００１３】
本発明は、二次ばねの片端は、下部フレームに設置した固定支柱に回転できる状態で固定され、二次ばねの他方の片端は一方向に可動する主可動体に回転できる状態で接続され、主リンクの片端は回転できる状態で主可動体に接続され、圧縮された二次ばねの反発力を主リンクに伝達させ、主リンクの他方の片端に一方向の負のばね特性を形成させることを特徴とする等反発ばね機構である。
【００１４】
本発明は、設定反発力、一次ばねの最大高さおよび最小高さ、固定支柱高さ、底辺長さ、回転余裕長さ、荷重作用位置、一次ばねおよび二次ばねのばね定数を最適化することで、荷重点に変位に対しほぼ等しい反発力を発生させることを特徴とする等反発ばね機構である。
【００１５】
本発明は、主可動体は下部フレームに設置され、一方向に可動する補助可動体は上部フレームに設置され、主リンクの片端は主可動体と回転できる状態で接続され、主リンクの他方の片端は上部フレームに回転できる状態で接続され、補助リンクの片端は補助可動体に回転できる状態で接続され、他方の片端は下部フレームに回転できる状態で接続され、主リンクと補助リンクの交点は両リンクが回転できる状態で固定され、上部フレームが下部フレームに対し、平行に移動できる構成を備えていることを特徴とする等反発ばね機構である。
【００１６】
本発明の、一次ばねおよび二次ばねはつるまきばね、ねじりコイルばね、板ばね、たけのこばね、トーションバー、空気ばね等からなることを特徴とする等反発ばね機構である。
【発明の効果】
【００１７】
本発明に基づく等反発ばね機構を起立補助椅子に適用した場合、次のような効果がある。
足の弱い人が通常の椅子に座る場合、あるいは椅子から立ち上がる場合には、足に負担がかかるため、補助的に外部から力を借りる必要がある。特に椅子から立ち上がる場合には大きな力を必要になる。
【００１８】
本発明の等反発ばね機構を椅子の着座の下部に設置すると、等反発ばね機構により、椅子の着座を通して人の臀部を一定の力で押し上げ、人が立ち上がる動作を補助する。そのため、椅子に座る動作、あるいは立ち上がる動作が楽にできる。また、本機構は見かけ上、ばね定数がほぼ零であり、座ったときに振動を感じない。着座が振動すると、体が不安定になり不安を感じさせることになるが、これらの問題もなく、安心して座ることができる。
【００１９】
椅子から容易に立ち上がるためには、それぞれの人に適した反発力あるいは反発力のパターンが必要になる。例えば、足の弱さの程度、体重などにより必要な反発力が異なるが、本発明の等反発ばね機構では、自由に反発力を選定できる特徴がある。また、立ち上がる過程において反発力のパターンを変化させることもできる。
【００２０】
本発明に基づく等反発ばね機構は扁平な構造にすることができるため、椅子の着座に問題なく設置することができる。また、重量も軽く、容易に椅子を移動することができる。また、この等反発ばね機構は、機械的な機構のみから構成されており、電力等の他の動力を必要とせず、経済的にも安価である。
【００２１】
さらに、等反発ばね機構は、重い荷物を低位置から高位置へ移動するための装置に、適用することができる。本発明の等反発ばね機構を、これらの装置に適用すると、荷物が常に一定の力で支えられた状態で移動させることができる。そこで、重い荷物の運搬作業を楽に一人ですることができる。
【発明を実施するための最良の形態】
【００２２】
図１は本発明に基づく等反発ばね機構の原理を示す図である。図１の横軸はばねの変位であり、縦軸はその時の反発力を示している。正のばね定数をもつ正特性ばねはばねが伸びるに従って、ばねの反発力は比例的に増加する。逆に、ばね定数の絶対値が同じで、傾きが負となるような負特性ばねのメカニズムを作り、両者を並列に組み合わせた構成にすると、反発力は両者の和になる。この原理により合成反発力は変位に対し常に一定になり、等反発の特性を得ることができる。
【００２３】
一方、変位励振を受ける1自由度の質量一減衰-ばね系の振動伝達特性の改善を図るためには、系のばね定数を小さくし、零に近づける方法が有効であることが一般に知られている。ここで、ばね定数とは荷重一変位曲線における直線の傾きであるが、ばね定数が零であるということは、直線の傾きが零ということである。
【００２４】
図１に示すように等反発ばね機構の場合、直線の傾きが零であり、言い換えると変位に対して反発力の変動が零である。そのため、等反発ばね機構を採用すると振動は極小になる。逆に、ばね定数を零とするためには、あらゆる変位において、等しい反発力を発生させるメカニズムを、創出すればよいということになる。
【００２５】
図２は本発明に基づく負のばね特性に関するメカニズムの１例である。本発明に基くこの負のばね特性は、正のばね定数をもつ通常の二次ばね５と、主可動体６、主リンク９および補助Ｂ可動体１１によって構成されている。補助Ｂ可動体１１の上にあるＡ点の上下方向の移動量を変位と定義し、変位の方向は下向きを正としている。
【００２６】
初期状態、すなわち変位が無い状態において、主可動体６の上のＢ点で、二次ばね５の片端は、主リンク９の片端に回転運動が許される状態で接続されている。二次ばね５の他方の片端は、Ｃ点で回転のみが許される状態で接続され固定されている。
【００２７】
ただし、主可動体６は、垂直方向の運動が拘束されており、水平方向のみに運動することができる。また, 補助Ｂ可動体１１は、水平方向の運動が拘束されており、垂直方向のみに運動が許される構成になっている。
【００２８】
図３は本発明に基づく、負のばね特性における力の釣り合いの1例である。初期状態において、二次ばね５は圧縮された状態で、Ｂ−Ｃ間に取り付けられている。図３に示すように、主可動体６の上のＢ点には、二次ばねの二次ばね反発力２０が発生している。
【００２９】
主可動体６は、水平方向のみ動くことができる。そためこの二次ばね反発力２０は、主可動体６に接続している主リンク９を押し上げる力２１になる。補助Ｂ可動体１１は、垂直方向のみ動くことができるため、主リンク９と接続しているＡ点には、上向きに持ち上げる力２２が発生する。
【００３０】
ここで、Ａ点を下向きに移動させると、主リンク９の長さは変化しないため、主可動体６の上のＢ点は左に移動する。すなわち、二次ばね５はＣ点を中心に回転運動をすると同時に圧縮され、二次ばね反発力２０は大きくなる。二次ばねの圧縮に伴ってＡ点の上向きに持ち上げる力２２は総じて減少することになる。
【００３１】
すなわち、負のばね特性の傾向を示す。この時二次ばね５と主リンク９のなす角度が変わるため、Ａ点での上向きに持ち上げる力２２の大きさは、これらの影響を受け変化する。
【００３２】
図４は本発明に基づく負のばね特性の二次ばねが垂直になった時の力の釣り合いを示す図である。Ａ点がさらに下向きに移動すると、二次ばね５が垂直になる。この時、二次ばね５による主リンク９を押し上げる力２１が零になり、補助Ｂ可動体１１の上のＡ１点での持ち上げ力２２も零となる。
【００３３】
図５は本発明に基づく負のばね特性に関するメカニズムの他の１例である。図５に示す負のばね特性も、正のばね定数をもつ通常の二次ばね５と、主可動体６、主リンク９および補助Ｂ可動体１１によって構成されている。補助Ｂ可動体１１の上におけるＡ点の上下方向の移動量を変位と定義している。
【００３４】
二次ばね５の片端は、主可動体６の上のＢ点で、主リンク９の片端に回転運動が許される状態で接続され、二次ばね５の他方の片端は、固定されているＣ点で回転のみが許される状態で接続されている。ただし、主可動体６は上下方向の運動が拘束され、水平方向のみに運動することができる。また, Ａ点の運動は水平方向には拘束されており、上下方向の運動のみが許される構成になっている。
【００３５】
図６は本発明に基づく、負のばね特性における力の釣り合の他の1例である。初期の状態では、二次ばね５は圧縮された状態でＢ−Ｃ間に垂直に取り付けられている。ここで、Ａ点が下向きに移動すると、Ａ１点と主可動体６上のＢ１点がリンク９で接続されているため、主可動体６は左に移動する。
【００３６】
この時、圧縮されている二次ばね５は、Ｃ点を中心に回転運動しながらに伸びることになる。同時に二次ばねの二次ばね反発力２０により、主リンク９が主リンク引っ張り力２４により引っ張られる。下方に移動した補助Ｂ可動体１１のＡ１点では、この主リンク引っ張り力２４により、垂直下方へ引き下げ力２４が発生する。
【００３７】
同時に二次ばね５と主リンク９のなす角度も変わるため、Ａ１点での引き下げ力２４の大きさは、これらの影響を受け変化することになる。この時、圧縮された二次ばねが伸び、二次ばねの反発力が減少するが、Ａ１点での引き下げ力２４は増加することになる。すなわち、負のばね特性の傾向を示す。
【００３８】
図７は本発明に基づく具体化された等反発ばね機構の基本構成図である。図７は図２で示した負のばね特性を採用している。図８は本発明に基づく、等反発ばね機構を椅子に適用した場合の構成図である。本装置は上部フレーム２および下部フレーム３、一次ばね４および二次ばね５、主可動体６および補助Ａ可動体７、主リンク９および補助リンク１０から構成されている。椅子３０に等反発ばね機構１を設置する場合は、着座３２の下部の等反発ばね機構収納部３１内に収納し、等反発ばね機構１の上部フレーム２の上に着座３２を設置することになる。
【００３９】
一次ばね４は片端が上下に可動する上部フレーム２に接続され、他方の片端が固定されている下部フレーム３に接続されている。一方、二次ばね５の片端は固定支柱８に回転できる状態で固定され、二次ばね５の他方の片端は一方向に可動する主可動体６に回転できる状態で接続されている。主リンク９の片端は主可動体６と回転できる状態で接続され、主リンク９の他方の片端は上部フレーム２における一次ばね４との接続点に回転できる状態で接続されている。荷重による上部フレーム２の変位に対し、上部フレームに一定の反発力を与える構成になっている。
【００４０】
着座３２に人が座ると上部フレーム２が下に押し下げられる。そのため、上部フレーム２と下部フレーム３の間に取り付けられている一次ばね４は圧縮される。二次ばね５も負のばね特性で説明したように圧縮される。この時、一次ばね４が圧縮されるため、上部フレーム２を上向きに持ち上げる反発力が大きくなる。二次ばね５の圧縮力は、主可動体６および主リンク９を経由して上部フレーム２を上向きに持ち上げることになり、この反発力は逆に小さくなる。
【００４１】
等反発ばね機構１は、これらの反発力の和が一定になるようになっている。すなわち、この一定の反発力で上部フレーム２を押し上げ、上部フレーム２の上に設置されている着座３２を一定の力で押し上げることになる。なお、上部フレーム２には、左右に動くことができる補助Ａ可動体７が取り付けられており、補助Ａ可動体７は、回転ができる状態で補助リンク１０の片端が取り付けられている。
【００４２】
補助リンク１０の他の片端は、下部フレーム３に固定されている。補助リンク１０と主リンク９は交差しており、交点はそれぞれのリンクが回転できる状態で固定されている。そのため、上部フレーム２は水平を保ちながら、上下方向に移動させることができる。なお、一次ばねおよび二次ばねはつるまきばね、ねじりコイルばね、板ばね、たけのこばね、トーションバー、空気ばね等を用いることができる。
【００４３】
椅子３０から立ち上がる時には、等反発ばね機構１は座る時の逆の動きをすることになり、この時も、上部フレーム２に取り付けられた着座３２が、一定の力で人の臀部を押し上げることになる。すなわち、足の弱い人が椅子３０を利用する場合に、足を曲げて座る直前、あるいは立つ直前に最も力を必要とするが、この時、着座３２が臀部を押し上げ、座るあるいは立つ動作を助けてくれることになる。また、等反発ばね機構１はばね定数がほぼ零になるため、座る時に不安定な振動を起こすことも無い。
【００４４】
図９は本発明に基づく等反発ばね機構の基本構成における力の釣り合いを示す図である。上部フレーム２の任意の点ξに外荷重Ｗ（ｘ）が作用するとき、反発力Ｆ（ｘ）、荷重点における反発力Ｗ１（ｘ）は下記の式で示される。反発力Ｆ（ｘ）は一次ばねの効力Ｆ１（ｘ）と二次ばねの反発力による効力Ｆ２（ｘ）の和となる。なお、効力Ｆ２（ｘ）は二次ばねの反発力が主リンク９を介して、上部フレーム２上の主リンク９と一次ばね４の接続点に働く垂直成分の効力である。ただし、上部フレーム２の重さをＭｇ、初期の上部フレーム２が垂直下部へ移動した長さをｘ、一次ばね４および二次ばね５のばね定数をそれぞれｋ１およびｋ２とした。
【００４５】
【数１】
2006055494.tif 000003
【００４６】
【数２】
2006055494.tif 000004
【００４７】
【数３】
2006055494.tif 000005
【００４８】
【数４】
2006055494.tif 000006
【００４９】
【数５】
2006055494.tif 000007
なお、ｘ＝０での上部フレーム高さを最大高さｈmax、ｘ＝ｘmaxでの上部フレーム高さを最小高さｈminとした。また、ｘ＝ｘmaxでのｂ２（ｘ）を回転余裕長さλとした。理想的な等反発力特性とは、変位過程のおける反発力が一定での変動が無い特性である。しかし、理想的な特性を実際に得ることは困難であり、ある程度の変動が生じる。上記した力の釣り合いのバランス式から、反発力Ｆ（ｘ）を求めることができる。図１０は本発明に基づく、変位ｘの変化に対する反発力の変化を示す図である。
【００５０】
そこで、等反発力特性を評価するため、反発力Ｆ（ｘ）と設定反発力の差を求め、平均変動率δを次のように定義した。
【００５１】
【数６】
2006055494.tif 000008
ここで、平均変動率δとは、ある設定反発力Ｆ０に対して、メカニズムの変位過程における、任意の位置での実際の反発力Ｆ（ｘ）とＦ０との差の絶対値を、全変位において平均しＦ０で割った値、すなわち、実際に得られる反発力分布と、Ｆ０とのずれの度合いを表す値である。
【００５２】
したがって、δが小さいほど反発力が一定に近づき、そのモデルの等反発力特性が良好であるといえる。ここで、 ΔＦは設定反発力Ｆ０と、実際に得られる反発力Ｆ（ｘ）との差、またＮは全変位に対する分割数である。
【００５３】
力の釣り合いのバランス式で示したように、等反発力特性を支配する因子は、等反発ばね機構を構成する因子に支配されており、これらの因子を変化させることにより反発力分布の形状が変化する。そこで、等反発ばね機構の最適な反発力分布を求める方法として、コンピュータプログラムによる計算を用いた。最適化の方法としては、任意の設計条件に対して、各パラメ-夕をそれぞれ独立に変化させ、反発力分布を計算し、変化させたパラメータの組み合わせの中で、最も平均変動率δが小さいものを選定した。
【００５４】
図１１は本発明に基づく、等反力ばね発機構の最適形状の１例を示す図である。図９の等反発ばね機構の構成に従って、設定反発力Ｆ０を３００Ｎとして、各因子を変化させ最適化したものである。なお、このときの平均変動率は１．５％と低い値になっている。
【００５５】
本発明による等反発ばね機構を適用して実用機を計画する場合は、製品構造により各因子が制約を受けることになる。装置設計では、これらの制約に対し各因子の自由度が要求される。また、平均変動率は５％以下であれば十分に等反発の効果を得ることができるため、この条件で、各因子の範囲を求めた。
【００５６】
図１２は本発明に基づく、平均変動率５％以下における各因子の範囲の１例を示す図である。この時、設定反発力Ｆ０、ストロークｈmax−ｈmin、底辺長さｂ、一次ばね定数ｋ１および二次ばね定数ｋ２を固定し、最大高さｈmax、固定支柱高さａ、回転余裕長さλを変化させた結果である。最大高さｈmaxの範囲は、固定支柱高さａおよび回転余裕長さλを図１１に示す最適値に設定し、平均変動率５％以下になる最大値および最小値で求めている。
【００５７】
平均変動率５％以下になる各因子の最大値と最小値間の範囲は十分に広い。等反発ばね機構を組み込んだ装置を計画する場合、各因子は十分な余裕を持っており、自由度のある設計をすることができる。また、補助椅子に適用する場合においても、身長、体重、体感等に個人差があるが、十分これらに対応した椅子の設計をすることができる。
【００５８】
図１３は本発明に基づく、最大高さを変化した場合の変位に対する反発力の変化の１例を示す図である。図１４は本発明に基づく、固定支柱高さを変化した場合の変位に対する反発力の変化の１例を示す図である。図１５は本発明に基づく、回転余裕長さを変化した場合の変位に対する反発力の変化の１例を示す図である。
【００５９】
図１３、図１４、図１５では、それぞれの因子が最大値、最適値、最小値を取ったときの、反発力の変化をＡ、Ｂ、Ｃであらわし示している。これらの結果からも、反発力は変位に対しほぼ一定であることが分かる。
【図面の簡単な説明】
【００６０】
【図１】図１は本発明に基づく、等反発ばね機構の原理を示す図である。
【図２】図２は本発明に基づく、負のばね特性に関するメカニズムの１例を説明する図である。
【図３】図３は本発明に基づく、負のばね特性における力の釣り合いの1例を説明する図である。
【図４】図４は本発明に基づく、負のばね特性の二次ばねが垂直になった時の力の釣り合いを示す図である。
【図５】図５は本発明に基づく、負のばね特性に関するメカニズムの他の１例を説明する図である。
【図６】図６は本発明に基づく、負のばね特性における力の釣り合の他の1例を説明する図である。
【図７】図７は本発明に基づく、具体化された等反発ばね機構の基本構成図である。
【図８】図８は本発明に基づく、等反発ばね機構を椅子に適用した場合の構成図である。
【図９】図９は本発明に基づく、等反発ばね機構の基本構成における力の釣り合いを示す図である。
【図１０】図１０は本発明に基づく、変位xの変化に対する反発力の変化を示す図である。
【図１１】図１１は本発明に基づく、等反発ばね機構の最適形状の１例を示す図である。
【図１２】図１２は本発明に基づく、平均変動率５％以下における各因子の範囲の１例を示す図である。
【図１３】図１３は本発明に基づく、最大高さを変化した場合の変位に対する反発力の変化の１例を示す図である。
【図１４】図１４は本発明に基づく、固定支柱高さを変化した場合の変位に対する反発力の変化の１例を示す図である。
【図１５】図１５は本発明に基づく、回転余裕長さを変化した場合の変位に対する反発力の変化の１例を示す図である。
【符号の説明】
【００６１】
１    等反発ばね機構
２    上部フレーム
３    下部フレーム
４    一次ばね
５    二次ばね
６    主可動体
７    補助Ａ可動体
８    固定支柱
９    主リンク
１０  補助リンク
１１  補助Ｂ可動体
２０  二次ばね反発力
２１  主リンク押上げ力
２２  持ち上げ力
２３  主リンク引っ張り力
２４  引き下げ力
３０  椅子
３１  等反発ばね機構収納部
３２  着座
３３  背もたれ
３４  脚
【図１】
2006055494.tif 000009
【図２】
2006055494.tif 000010
【図３】
2006055494.tif 000011
【図４】
2006055494.tif 000012
【図５】
2006055494.tif 000013
【図６】
2006055494.tif 000014
【図７】
2006055494.tif 000015
【図８】
2006055494.tif 000016
【図９】
2006055494.tif 000017
【図１０】
2006055494.tif 000018
【図１１】
2006055494.tif 000019
【図１２】
2006055494.tif 000020
【図１３】
2006055494.tif 000021
【図１４】
2006055494.tif 000022
【図１５】
2006055494.tif 000023